【事件の表示】
　特願２０１６−　３１２９６「画像形成装置および制御プログラム」拒絶査定不服審判事件〔平成２９年　８月３１日出願公開、特開２０１７−１５１１６５〕について、次のとおり審決する。
【結　論】
　本件審判の請求は、成り立たない。
【理　由】
第１　手続の経緯
　本願は、平成２８年２月２２日の出願であって、令和１年１０月２日付けで拒絶理由が通知され、同年１１月２１日付けで意見書及び手続補正書が提出され、同年１２月９日付けで拒絶理由（最後）が通知され、令和２年２月７日付けで意見書及び手続補正書が提出され、同年６月１日付けで同年２月７日付けの手続補正書が却下されるとともに拒絶査定がなされたのに対し、同年８月３１日付けで拒絶査定不服審判の請求がされると同時に手続補正書が提出されたものである。
第２　令和２年８月３１日付けで提出された手続補正書による補正についての補正却下の決定
［補正却下の決定の結論］
　令和２年８月３１日付けで提出された手続補正書による補正（以下「本件補正」という。）を却下する。
［理由］
１　補正の内容
　本件補正は、特許請求の範囲について、下記（１）に示す本件補正前の（すなわち、令和１年１１月２１日付けで提出された手続補正書により補正された特許請求の範囲の請求項１乃至１３を、下記（２）に示す本件補正後の特許請求の範囲の請求項１乃至１３へと補正するものである。（下線は審決で付した。以下同じ。）
（１）本件補正前の特許請求の範囲
「【請求項１】
　用紙搬送路を備え、当該用紙搬送路に沿って用紙を搬送する用紙搬送部と、
　前記用紙搬送路上の前記用紙を検知する用紙検知部と、
　前記用紙に関する印刷ジョブを取得するジョブ取得部と、
　前記用紙に画像を形成する画像形成部と、
　前記印刷ジョブに含まれる用紙情報に基づいて前記用紙を搬送する第１の用紙搬送と、前記用紙情報には基づかずに前記用紙検知部の検知結果に基づいて前記用紙を搬送し、外部に排出する第２の用紙搬送と、のいずれかの搬送を実施するように前記用紙搬送部を制御する制御部と、を有し、
　前記制御部は、
　前記用紙搬送路に対して複数の搬送区間を割り付け、前記複数の搬送区間の各々について、当該搬送区間と、当該搬送区間から前記外部に至る経路にあるすべての搬送区間とを加えた排出経路を設定し、
　前記用紙搬送路の用紙搬送が中断された後に前記用紙搬送路の用紙搬送を再開する場合、
　前記用紙検知部の検知結果に基づいて、前記用紙搬送路に残留した残留用紙の存否を判定し、当該残留用紙が存在する搬送区間に設定した排出経路においてのみ前記第２の用紙搬送を実施するように前記用紙搬送部を制御する、画像形成装置。
【請求項２】
　前記制御部は、
　前記用紙搬送路上の用紙ジャムに起因して前記第１の用紙搬送が中断された後に前記用紙搬送路の用紙搬送が再開される場合、
　前記用紙搬送に障害となる残留用紙がユーザーによって除去された後、前記用紙搬送に障害とならない残留用紙について前記第２の用紙搬送を実施するように前記用紙搬送部を制御する、請求項１に記載の画像形成装置。
【請求項３】
　前記制御部は、
　前記第１の用紙搬送が実施されている間、あるいは前記用紙搬送路上の用紙ジャムに起因して前記第１の用紙搬送が中断されて用紙搬送が停止している間に前記画像形成装置の電源がオフされて前記画像形成装置が停止した後、前記電源がオンされて前記画像形成装置が起動し前記用紙搬送路の用紙搬送が再開される場合、
　前記用紙搬送に障害となる残留用紙がユーザーによって除去された後、前記用紙搬送に障害とならない残留用紙について前記第２の用紙搬送を実施するように前記用紙搬送部を制御する、請求項１に記載の画像形成装置。
【請求項４】
　前記制御部は、
　前記第２の用紙搬送が実施されている間、前記用紙搬送路を搬送される各々の前記残留用紙について、前記残留用紙が前記用紙搬送路上の第１の位置に滞留している滞留時間と、前記残留用紙が第１の位置から当該第１の位置よりも用紙搬送方向の下流に位置する第２の位置に搬送されるまでの到達時間に基づいて、前記残留用紙が正常に搬送されているか否かを判断する、請求項１〜３のいずれか１項に記載の画像形成装置。
【請求項５】
　前記用紙検知部は、
　前記第１および第２の位置にそれぞれ配置された第１および第２の検知センサーを含む複数の検知センサーを備え、
　前記制御部は、
　前記用紙搬送路を搬送される前記残留用紙が前記第１の検知センサーの検知範囲に存在している時間を計測することにより前記滞留時間を取得し、前記残留用紙が前記第１の検知センサーによって検知されてから前記第２の検知センサーによって検知されるまでの時間を計測することにより前記到達時間を取得する、請求項４に記載の画像形成装置。
【請求項６】
　前記制御部は、
　前記用紙搬送路を搬送される前記残留用紙の速度、前記残留用紙の搬送方向の長さ、前記滞留時間および前記到達時間に基づいて、前記残留用紙が正常に搬送されているか否かを判断する、請求項５に記載の画像形成装置。
【請求項７】
　前記制御部は、
　前記滞留時間が所定の滞留時間以下である場合に前記残留用紙が正常に搬送されていると判断する、請求項４〜６のいずれか１項に記載の画像形成装置。
【請求項８】
　前記制御部は、
　前記到達時間が所定の到達時間以下である場合に前記残留用紙が正常に搬送されていると判断する、請求項４〜７のいずれか１項に記載の画像形成装置。
【請求項９】
　前記所定の滞留時間は、
　前記残留用紙のうち用紙搬送方向に最大の長さを有する用紙が、２枚連続して前記第１の位置を通過する場合に要する時間に基づいて設定される、請求項８に記載の画像形成装置。
【請求項１０】
　前記所定の滞留時間は、
　前記用紙搬送路を搬送可能な用紙のうち用紙搬送方向に最大の長さを有する用紙が、２枚連続して前記第１の位置の通過する場合に要する時間に基づいて設定される、請求項８に記載の画像形成装置。
【請求項１１】
　前記制御部は、前記第２の用紙搬送において、
　前記残留用紙の各々について前記用紙搬送路上における搬送異常を監視し、
　すべての前記残留用紙について搬送異常の監視が完了した場合に前記すべての残留用紙の排出が完了したと判断する、請求項１〜１０のいずれか１項に記載の画像形成装置。
【請求項１２】
　前記制御部は、前記第２の用紙搬送において、
　前記複数の搬送区間の各々について優先順位を設定し、当該優先順位に従って、前記残留用紙を外部に排出するように前記用紙搬送部を制御する、請求項１〜１１のいずれか１項に記載の画像形成装置。
【請求項１３】
　画像形成装置の用紙搬送路に対して複数の搬送区間を割り付け、前記複数の搬送区間の各々について、当該搬送区間と、当該搬送区間から前記画像形成装置の外部に至る経路にあるすべての搬送区間とを加えた排出経路を設定する手順と、
　印刷処理を開始し、印刷ジョブに含まれる用紙情報に基づいて、前記画像形成装置の用紙搬送路に沿って用紙を搬送する手順と、
　前記用紙搬送路上でジャムが発生したか否かを判断する手順と、
　前記用紙搬送路上でジャムが発生した場合、前記印刷処理を中断し、前記用紙搬送路上の用紙搬送を中断する手順と、
　前記用紙搬送路の用紙搬送が中断された後に前記用紙搬送路の用紙搬送を再開する場合、前記用紙搬送路上の用紙を検知する用紙検知部の検知結果に基づいて、前記用紙搬送路に残留した残留用紙の存否を判定し、当該残留用紙が存在する搬送区間に設定した排出経路においてのみ前記残留用紙を搬送し、前記外部に排出する手順と、を前記画像形成装置に実行させるための制御プログラム。」
（２）本件補正後の特許請求の範囲
「【請求項１】
　用紙搬送路を備え、当該用紙搬送路に沿って用紙を搬送する用紙搬送部と、
　前記用紙搬送路上の前記用紙を検知する用紙検知部と、
　前記用紙に関する印刷ジョブを取得するジョブ取得部と、
　前記用紙に画像を形成する画像形成部と、
　前記印刷ジョブに含まれる用紙情報に基づいて前記用紙を搬送する第１の用紙搬送と、前記用紙情報には基づかずに前記用紙検知部の検知結果に基づいて前記用紙を搬送し、外部に排出する第２の用紙搬送と、のいずれかの搬送を実施するように前記用紙搬送部を制御する制御部と、を有し、
　前記制御部は、
　前記用紙搬送路に対して複数の搬送区間を割り付け、前記複数の搬送区間の各々について、当該搬送区間と、当該搬送区間から前記外部に至る経路にあるすべての搬送区間とを加えた排出経路を設定し、
　前記用紙搬送路の用紙搬送が中断された後に前記用紙搬送路の用紙搬送を再開する場合、
　前記用紙検知部の検知結果に基づいて、前記用紙搬送路に残留した残留用紙の存否を判定し、当該残留用紙が存在する搬送区間に設定した排出経路におい
て前
した後、未起動の搬送区間に対し、前記搬送区間の搬送を所定の駆動時間行い、前記搬送区間において残留用紙が検知された場合、前記搬送区間に対する排出経路に対して前記第２の用紙搬送を実施
【請求項２】
　前記制御部は、
　前記用紙搬送路上の用紙ジャムに起因して前記第１の用紙搬送が中断された後に前記用紙搬送路の用紙搬送が再開される場合、
　前記用紙搬送に障害となる残留用紙がユーザーによって除去された後、前記用紙搬送に障害とならない残留用紙について前記第２の用紙搬送を実施するように前記用紙搬送部を制御する、請求項１に記載の画像形成装置。
【請求項３】
　前記制御部は、
　前記第１の用紙搬送が実施されている間、あるいは前記用紙搬送路上の用紙ジャムに起因して前記第１の用紙搬送が中断されて用紙搬送が停止している間に前記画像形成装置の電源がオフされて前記画像形成装置が停止した後、前記電源がオンされて前記画像形成装置が起動し前記用紙搬送路の用紙搬送が再開される場合、
　前記用紙搬送に障害となる残留用紙がユーザーによって除去された後、前記用紙搬送に障害とならない残留用紙について前記第２の用紙搬送を実施するように前記用紙搬送部を制御する、請求項１に記載の画像形成装置。
【請求項４】
　前記制御部は、
　前記第２の用紙搬送が実施されている間、前記用紙搬送路を搬送される各々の前記残留用紙について、前記残留用紙が前記用紙搬送路上の第１の位置に滞留している滞留時間と、前記残留用紙が第１の位置から当該第１の位置よりも用紙搬送方向の下流に位置する第２の位置に搬送されるまでの到達時間に基づいて、前記残留用紙が正常に搬送されているか否かを判断する、請求項１〜３のいずれか１項に記載の画像形成装置。
【請求項５】
　前記用紙検知部は、
　前記第１および第２の位置にそれぞれ配置された第１および第２の検知センサーを含む複数の検知センサーを備え、
　前記制御部は、
　前記用紙搬送路を搬送される前記残留用紙が前記第１の検知センサーの検知範囲に存在している時間を計測することにより前記滞留時間を取得し、前記残留用紙が前記第１の検知センサーによって検知されてから前記第２の検知センサーによって検知されるまでの時間を計測することにより前記到達時間を取得する、請求項４に記載の画像形成装置。
【請求項６】
　前記制御部は、
　前記用紙搬送路を搬送される前記残留用紙の速度、前記残留用紙の搬送方向の長さ、前記滞留時間および前記到達時間に基づいて、前記残留用紙が正常に搬送されているか否かを判断する、請求項５に記載の画像形成装置。
【請求項７】
　前記制御部は、
　前記滞留時間が所定の滞留時間以下である場合に前記残留用紙が正常に搬送されていると判断する、請求項４〜６のいずれか１項に記載の画像形成装置。
【請求項８】
　前記制御部は、
　前記到達時間が所定の到達時間以下である場合に前記残留用紙が正常に搬送されていると判断する、請求項４〜７のいずれか１項に記載の画像形成装置。
【請求項９】
　前記所定の滞留時間は、
　前記残留用紙のうち用紙搬送方向に最大の長さを有する用紙が、２枚連続して前記第１の位置を通過する場合に要する時間に基づいて設定される、請求項８に記載の画像形成装置。
【請求項１０】
　前記所定の滞留時間は、
　前記用紙搬送路を搬送可能な用紙のうち用紙搬送方向に最大の長さを有する用紙が、２枚連続して前記第１の位置の通過する場合に要する時間に基づいて設定される、請求項８に記載の画像形成装置。
【請求項１１】
　前記制御部は、前記第２の用紙搬送において、
　前記残留用紙の各々について前記用紙搬送路上における搬送異常を監視し、
　すべての前記残留用紙について搬送異常の監視が完了した場合に前記すべての残留用紙の排出が完了したと判断する、請求項１〜１０のいずれか１項に記載の画像形成装置。
【請求項１２】
　前記制御部は、前記第２の用紙搬送において、
　前記複数の搬送区間の各々について優先順位を設定し、当該優先順位に従って、前記残留用紙を外部に排出するように前記用紙搬送部を制御する、請求項１〜１１のいずれか１項に記載の画像形成装置。
【請求項１３】
　画像形成装置の用紙搬送路に対して複数の搬送区間を割り付け、前記複数の搬送区間の各々について、当該搬送区間と、当該搬送区間から前記画像形成装置の外部に至る経路にあるすべての搬送区間とを加えた排出経路を設定する手順と、
　印刷処理を開始し、印刷ジョブに含まれる用紙情報に基づいて、前記画像形成装置の用紙搬送路に沿って用紙を搬送する手順と、
　前記用紙搬送路上でジャムが発生したか否かを判断する手順と、
　前記用紙搬送路上でジャムが発生した場合、前記印刷処理を中断し、前記用紙搬送路上の用紙搬送を中断する手順と、
　前記用紙搬送路の用紙搬送が中断された後に前記用紙搬送路の用紙搬送を再開する場合、前記用紙搬送路上の用紙を検知する用紙検知部の検知結果に基づいて、前記用紙搬送路に残留した残留用紙の存否を判定し、当該残留用紙が存在する搬送区間に設定した排出経路において前記残留用紙を搬送し、前記外部に排出
した後、未起動の搬送区間に対し、前記搬送区間の搬送を所定の駆動時間行い、前記搬送区間において残留用紙が検知された場合、前記搬送区間に対する排出経路おいて前記残留用紙を搬送し、前記外部に排出
２　本件補正について
（１）補正目的について
　特許法第１７条の２第５項の規定によれば、拒絶査定不服審判の請求と同時にする特許請求の範囲についての補正は、請求項の削除（第１号）、特許請求の範囲の減縮（第２号）、誤記の訂正（第３号）、明瞭でない記載の釈明（第４号）のいずれかを目的とするものに限るとされている。
　そこで、本件補正について、以下、検討する。
　本件補正により、本件補正前の特許請求の範囲の請求項１の「前記用紙検知部の検知結果に基づいて、前記用紙搬送路に残留した残留用紙の存否を判定し、当該残留用紙が存在する搬送区間に設定した排出経路においてのみ前記第２の用紙搬送を実施する」との特定事項が「前記用紙検知部の検知結果に基づいて、前記用紙搬送路に残留した残留用紙の存否を判定し、当該残留用紙が存在する搬送区間に設定した排出経路において前記第２の用紙搬送を実施した後、未起動の搬送区間に対し、前記搬送区間の搬送を所定の駆動時間行い、前記搬送区間において残留用紙が検知された場合、前記搬送区間に対する排出経路に対して前記第２の用紙搬送を実施する」と補正された（以下「補正事項１」という。）。
　上記補正事項１により、第２の用紙搬送を実施する排出経路が、本件補正前の特許請求の範囲の請求項１においては、「残留用紙が存在する搬送区間に設定した排出経路においてのみ」であったところ、本件補正後の特許請求の範囲の請求項１においては、「残留用紙が存在する搬送区間に設定した排出経路」に加え、「第２の用紙搬送を実施した後、未起動の搬送区間に対し、前記搬送区間の搬送を所定の駆動時間行い、前記搬送区間において残留用紙が検知された場合、前記搬送区間に対する排出経路」、へと変更することとなるのであるから、上記補正事項１は、発明の対象を変更するものであり、また、本件補正前の請求項１において特定されている発明特定事項をさらに特定するものには該当しないから、上記補正事項１は、同項第２号に掲げられた特許請求の範囲の減縮を目的とするものに該当しない。
　また、上記補正事項１が、同項第１、３、４の各号に掲げられた、いずれの目的とするものにも該当しないことは明らかである。
　本件補正により、本件補正前の特許請求の範囲の請求項１３に対しても、上記補正事項１と同様の補正（以下「補正事項２」という。）がなされた。
　そうすると、補正事項２も、上記補正事項１と同様に、特許法第１７条の２第５項第１〜４号に掲げられた、いずれの目的とするものにも該当しないことは明らかである。
（２）小括
　よって、上記補正事項１及び２を含む本件補正は、特許法第１７条の２第５項の規定を満たすものではない。
　なお、審判請求人は、審判請求書において、上記補正事項１及び２は、令和１年１２月９日付けの拒絶理由（最後）における記載不備及び新規事項の追加の拒絶理由を解消するものであると主張するが、「のみ」が明確でないとの拒絶理由（最後）の指摘に対応した補正事項かについては、「のみ」を削除したことは、拒絶理由（最後）の指摘に対応したものといえるが、「のみ」以外の追加の特定事項は、「のみ」の内容を明瞭とするものではないから、明瞭でない記載の釈明を目的とするものとはいえない。
　そして、仮に明瞭でない記載の釈明に該当するとしても、下記のとおり、特許を受けることができないものであるから、結論に影響しない。
３　独立特許要件について
　上記のとおり、本件補正前の請求項１及び１３に係る補正は、特許法第１７条の２第５項第２号に規定する特許請求の範囲の減縮（いわゆる限定的減縮）を目的とするものに該当するものではないが、念のため、本件補正前の請求項１に係る補正が限定的減縮であると仮定して、本件補正後の請求項１に係る発明（令和２年８月３１日付けで提出された手続補正書の特許請求の範囲に記載された事項により特定される、上記「１　（２）本件補正後の特許請求の範囲」の【請求項１】に係る発明（以下、「本願補正発明」という。）が、特許出願の際独立して特許を受けることができるものであるか（特許法第１７条の２第６項において準用する同法第１２６条第７項の規定に適合するか）について、以下に検討する。
（１）本願補正発明
　本願補正発明は、上記「１　（２）本件補正後の特許請求の範囲」の【請求項１】に記載したとおりのものと認める。
（２）引用例
　原査定の拒絶の理由において引用された特開昭６２−８５２６１号公報（以下「引用例」という。）には、次の事項が記載されている。
ア　「「産業上の利用分野」
　本発明は裁断された用紙にコピーを行う複写機に係わり、特に複写機内部で発生した紙詰りを処理した後に搬送路にまだ用紙が存在する場合に、この用紙を排出させるための排出制御方法に関する。」（１頁右欄１０〜１５行）
イ　「そこで本発明の目的は、ジャムの生じた用紙の除去後に開始される残存用紙の自動排出処理を支障なく行わせることのできる用紙の排出制御方法を提供することにある。」（２頁右下欄６〜９行）
ウ　「この
複写機は複写機本体１１の内部に３段の供給トレイ１２〜１４を配置している。
　
３段の供給トレイ１２〜１４のそれぞれわずか上方には、フィードベルト１６〜１８がそれぞれ配置されている。用紙供給のために例えば上段供給トレイ１２が選択されると、対応する上段フィードベルト１６内のエアーが吸引され、用紙１５が１枚だけこの上段フィードベルト１６に吸引される。
　上段フィードベルト１６は所定のタイミングで回転を開始するので、
吸引された用紙１５は第２の用紙検知センサ
Ｓ２によって検知された後、
搬送される。
所定のタイミングで搬送を開始された用紙１５は、第５のセンサＳ５を経た後、感光体ベルト２４と転写器２５の間を通過し、このときトナー像の転写が行われる。
　ところで、感光体ベルト２４は無端ベルトであり、メインモータ２７の駆動力を伝達されたドライブロール２８によって矢印２９方向に定速回転されるようになっている。感光体ベルト２４と近接して配置されている帯電器３１はこのベルト表面を均一に帯電する。露光ステーション３２は、プラテン３３にセットされた原稿（図示せず）を内蔵のフラッシュランプで露光し、光像をこの帯電後の感光体ベルト２４に照射する。このようにして静電潜像の形成が行われる。この後、静電潜像は現像器３４で現像され、トナー像が形成される。このトナー像が前記した用紙１５に転写されることになる。
　
トナー像転写後の用紙１５は、
搬送される。
定着ロール３７を通過してここで熱定着される。定着後の用紙１５は
搬送される。
　ボストフューザ・トランスポート３８には用紙検出のための第７〜第１０のセンサＳ７〜Ｓ１０と、搬送路切り換え用の３つのゲート４１〜４３、並びに用紙１５の表裏を反転するためのインバータユニット４５が配置されている。このうち、第７のセンサＳ７は定着ローラ３７の近傍に、また第８のセンサＳ８は第１のゲート４１の手前にそれぞれ配置されている。
　第１のゲート４１は用紙をインバータ４５に送り込むか否かの切り換えを行う。インバータ４５に送り込まれて表裏の反転した用紙およびインバータ４５方向に送りこまれなかった用紙は、
第２のゲート４２の配置されている場所まで搬送される。第２のゲート４２は、この用紙を複写機本体１１の上面に設けられた排出トレイ４６に向けて排出する
排出トレイ４６の近傍には第９のセンサＳ９が設けられており、
　
第２のゲート４２によって排出トレイ４６方向に排出されなかった用紙は、第３のゲート４３に到達する。この第３のゲート４３によって、用紙はホリゾンタル・トランスポート４８を経て図示しないパージ・トレイに向けて排出されるか、デュプレックス・トレイ４９に排出されるかが選択される。第１０のセンサＳ１０はこの第３のゲートの近傍に配置されている。
エ　「なお、この
複写機でメインモータ２７は用紙１５の撤送駆動源となる
オ　「第２図は以上のような構成の複写機におけるスタートボタン（図示せず）を押した場合の制御動作の概略を表わしたものである。この複写機の図示しないコンソールにはプリントの開始等を指示するためのスタートボタンが配置されている。この
スタートボタンを押すとメインモータ２７が駆動を開始
複写機がパージ制御を行わなければならない状態であるかどうかを判断する
　ここでパージ制御とは、
複写機で発生したジャムを除去した後、搬送路内にまだ残っている用紙を排出するための自動排出処理モード上での制御である。ジャムが発生し、該当する用紙が搬送路から除去されると、前記したＲＡＭの所定領域にパージ制御を行わせるためのデータが書き込まれるようになっており、ＣＰＵはこれを基にパージ制御の必要の有無を判別
　
パージ制御による用紙の排出が必要な場合には（Ｙ）、その制御が行われ（ステップ○３）、こ後（当審注：「この後」の誤記と認める。）コピー作業が行われる（ステップ○４）。これに対して、パージ制御による用紙の排出が必要でない場合には（ステップ○２；Ｎ）、直ちにコピー作業が開始される（ステップ○４）ことになる。　コピー作業が終了したら、メインモータ２７の駆動が停止され（ステップ○５）、複写機の制御が終了する（エンド）。」（４頁右上欄末行〜右下欄８行）
カ　「第３図は、
パージ制御の詳細として用紙の自動排出について用紙のまだ排出動作の行われない段階の作業、すなわち始動ルーチンの部分を表わしたものである。パージ制御が行われる場合には
オン・センサ・カウンタ（ＯＳカウンタ）の内容がクリアされる
オン・センサ・カウンタとは、ジャム除去後の撒送路上に用紙が何枚存在するかをカウントするカウンタである。
　オン・センサ・カウンタがクリアされたら、ＣＰＵは
次に各センサＳ１〜Ｓ１０に対応して設けられたオン用多重カウンタ（ＯＭカウンタ）の内容をすべて零にする
オン用多重カウンタは、パージ期間の所定時間内に各センサＳ１〜Ｓ１０がカウントする用紙の枚数を記録するカウンタである。
　以上の作業が終了したら、ＣＰＵはＲＡＭの他の領域に割り振られたセンサバッファ（Ｓバッファ）に第１のセンサＳ１をセットする（ステップ○３）。これにより、
ＣＰＵはまず第１のセンサＳ１について用紙が存在するかどうかの判別作業を開始することになる。
…このようにして、
第１０のセンサＳ１０までの現時点での用紙検知の有無がチェックされ、用紙が存在しないセンサに対してはオン変化検知要求がセットされることになる。
　これに対して、
第２のセンサＳ２について用紙の検知が行われたとする
この場合、センサバッファで示されるセンサは第２のセンサＳ２なので（ステップ○１０、○１１；Ｎ）、センサバッファで指示される次のセンサ用のオン用多重カウンタを１だけ加算する
　　　　　　　　　　　　　（以下余白）
　すなわち、センサバッファで示されている現在のセンサは第２のセンサＳ２なので、
第５のセンサＳ５についてのオン用多重カウンタが＋１されることになる。
　このようにして加算された第５のセンサＳ５のカウント値が＋１であれば（ステップ○１３；Ｙ）、この
第５のセンサＳ５についてのオン変化検知要求をセットする（ステップ〇１４）。これは、第５のセンサＳ５で用紙の先端検知を行うためである。
センサバッファで示されるセンサすなわち第２のセンサＳ２から指示された第５のセンサＳ５へ向かう用紙に対するオン・ジャムタイマがセットされる（ステップ〇１５）。これは、第５のセンサＳ５で用紙の先端が検知されるまでの最大時間をセットして、この時間内に用紙の先端が検知されないときには、ジャムが発生したと判断しようとするものである。
　なお、ステップ○１３でオン用多重カウンタの内容が＋１でなければ（Ｎ）、第２のセンサＳ２から第５のセンサＳ５に至るオン・ジャムタイマが直接セットされる（ステップ○１５）。これは、例えば第１のセンサＳ１について用紙の検知が行われてしたと（当審注:「行われていたと」の誤記と認める。）すると、この段階で第５のセンサＳ５についてオン変化検知要求のセットが行われる（ステップ○１４）ので、新たに行う必要がないからである。
　オン・ジャムタイマがセットされたら、センサバッファで示されるセンサすなわち第２のセンサＳ２についてオフ変化検知要求がセットされる（ステップ○１６）。これは現在検知の行われている第２のセンサＳ２が用紙の後端を検知できるかどうかを調べるためである。このため、第２のセンサＳ２が用紙の後端を検知するまでの最大時間をオフ・ジャムタイマでセットする（ステップ○１７）。この後、
オン・センサ・カウンタが１だけ加算される（ステップ○１８）。
　以上のようにして第２のセンサＳ２についての作業が終了したらセンサバッファの内容が更新され（ステップ○９）、第３のセンサＳ３について同様の作業が行われる。このようにして、第７のセンサＳ７まで、用紙を検知している場合のジャム検知作業の設定が行われる。」（４頁右下欄９行〜６頁左下欄１８行）
キ　「
このようにして第１０のセンサＳ１０まですべてのセンサのチェックが行われたら（ステップ○８；Ｎ）、ＣＰＵはオン・センサ・カウンタが零であるかどうかを判断する（ステップ○２８）。オン・センサ・カウンタが零であれば（Ｙ）、用紙はそれぞれのセンサによって検知されていないことになる。そこでこの場合には、１番長い距離のセンサ間に用紙が存在することも考慮にいれてパージタイマ（Ｐタイマ）を２秒にセットし、オール・オフ・フラグ（ALL OFF FLAG）をセットする（ステップ〇２９）。このオール・オフ・フラグは、すべてのセンサＳ１〜Ｓ１０が用紙を初期的に検出していないことを示すものである。
　これに対して
、オン・センサ・カウンタが零でない場合には（ステップ○２８；Ｎ）、パージタイマを５秒にセットし、オール・オフ・フラグをリセットする（ステップ○３０）。
　ここで５秒のパージ時間は、第１のセンサＳ１に用紙があったとしても、第９または第１０のセンサＳ９またはＳ１０を通過してこれが機外に出るまでに十分な時間をいう。
　以上のようにして、自動排出始動ルーチンが終了する。この後、第２図で示したメインモータ２７の駆動が開始され
、パージ制御が行われることになる
。
ク　「
第５図
パージ制御における自動排出ラン（ＲＵＮ）中の各センサのオン処理を表わしたものである。この各センサＳ１〜Ｓ１０のオン処理においては、オン変化要求を行ったセンサについてオン変化（用紙の先端検知）が行われたとき、これを処理するものである。
　この処理では、まずセンサバッファによって示されたオン・ジャムタイマをリセットする（ステップ○１）。このとき、多重にタイマがセットさている場合には、最初にタイムアウトするタイマのみがセットされる。
　さて、
センサバッファによって示されるオン変化したセンサが第８のセンサＳ８であったとすると（ステップ○２；Ｙ）、第３図
複写機本体１１にパージトレイがついているかどうかが判断される（ステップ○３）。パージトレイがついている場合には（Ｙ）、第１０のセンサＳ１０のオン用多重カウンタが１だけ加算される（ステップ○４）。
　
この結果、第１０のセンサＳ１０のオン用多重カウンタのカウント値が＋１であれば（ステップ○５；Ｙ）、第１０のセンサＳ１０まで用紙の先端が到達することを検知するために第１０のセンサＳ１０についてオン変化検知要求がセットされる（ステップ○６）。この後、このセンサＳ１０についてオン・ジャムタイマがセットされることになる（ステップ○７）。
　
これに対して第１０のセンサＳ１０のオン用多重カウンタのカウント値が＋１でなければ（ステップ○５；Ｎ）、このセンサＳ１０についてのオン・ジャムタイマが直接セットされることになる。
　この後、オン変化が検知された第８のセンサＳ８について、用紙の後端を検知するためにオフ変化検知要求がセットされる（ステップ○８）。そしてこの第８のセンサＳ８についてオフ・ジャムタイマがセットされることになる（ステップ○９）。
　ＣＰＵは次に、先のルーチンで説明したオール・オフ・フラグがリセットされているかどうかを判別する（ステップ○１０）。
オール・オフ・フラグがリセットされていない場合、すなわちメインモータ２７の始動前にすべてのセンサＳ１〜Ｓ１０で用紙の検知が行われていなかった場合には（Ｎ）用紙が新たに検知されたことになる。従ってこの場合には、オール・オフ・フラグがリセットされ（ステップ○１１）、パージタイマの２秒間の設定がキャンセルされ、４秒間に再設定される（ステップ○１２）。すなわち、これで最大６秒間のパージ期間が設定され、用紙の排出処理が行われることになる。
　パージタイマが再設定されたら、センサバッファで示されるセンサすなわち第８のセンサＳ８についてのオン用多重カウンタが１だけカウントダウンされる（ステップ○１３）。これは先にオン用多重カウンタを１だけ加算していたのに対応させたものである。この結果として、この第８のセンサＳ８についてのオン用多重カウンタのカウント値が零にならなければ（ステップ○１４；Ｎ）、再度このセンサＳ８のオン変化検知要求をセットする（ステップ○１５）。
　これに対して、このセンサＳ８のオン用多重カウンタが零になれば、用紙の先端検知を行う必要がないので、オン変化検知要求をセットすることなく、このルーチンが終了する。
　ステップ○３に戻って複写機本体１１にパージトレイがついていなかった場合には（Ｎ）、第９のセンサＳ９のオン用多重カウンタが１だけ加算される（ステップ（○１６）。この結果としてこのオン用多重カウンタのカウント値が＋１となれば（ステップ○１７；Ｙ）、第９のセンサＳ９について用紙の先端検知のためのオン変化検知要求がセットされる（ステップ○１８）。そしてこの第９のセンサＳ９についてオン・ジャムタイマがセットされる（ステップ○１９）。この後、センサバッファで示されるセンサすなわち第８のセンサＳ８についてのオフ変化検知要求がセットされ（ステップ○８）、このセンサＳ８についてのジャムタイマがセットされる（ステップ○１０）。以下同様である（ステップ○１１〜○１５）。
　次に
センサバッファで示されるオン変化したセンサが第１から第７のセンサであったとする（ステップ○２、○２０：Ｎ）。この場合にはセンサバッファで指示されるセンサの次のセンサ用オン用多重カウンタが１だけ加算される（ステップ○２１）。
センサバッファで示されるオン変化したセンサが第２のセンサＳ２であれば、第５のセンサＳ５についてのオン用多重カウンタが＋１されることになる。
第３図
　
この＋１されたオン用多重カウンタのカウント値がこの結果＋１となれば（ステップ○２２；Ｙ）、このセンサで用紙の先端を検知するためのオン変化検知要求がセットされる（ステップ○２３）。この後、センサバッファで示されるセンサから、指示された次のセンサへのオン・ジャムタイマがセットされる（ステップ○２４）。先の例では、第２のセンサＳ２から第５のセンサＳ５へ向かう用紙に対するオン・ジャムタイマがセットされることになる。
　センサバッファで示されるオン変化したセンサから、指示された次のセンサへのオン・ジャムタイマがセットされた（ステップ○２４）後は、このオン変化したセンサについてのオフ変化検知のための要求がセットされる（ステップ○８）。以下、前記したと同様の動作が行われる（ステップ○９〜○１５）。
　最後に、センサバッファで示されるオン変化したセンサが第９または第１０のセンサＳ９、Ｓ１０である場合にはくステップ○２０；Ｙ）、これらは搬送路の最後に配置されたセンサなのでオフ変化検知要求のみがセットされる（ステップ○８）。
以下、前記したと同様の動作が行われる（ステップ○９〜○１５）。
　以上で、自動排出ラン中の各センサＳ１〜Ｓ１０のオン処理ルーチンの説明を終了する。」（７頁右下欄７行〜９頁左上欄１６行）
ケ　「
」
コ　「
」
サ　「
」
シ　「
」
ス　「
」
セ　上記ウ、エ及び第１図より、
メインモータを用紙の撤送駆動源とした複写機は、内部に３段の供給トレイを配置し、３段の供給トレイのそれぞれわずか上方には、フィードベルトがそれぞれ配置され、用紙供給のために供給トレイが選択されると、対応するフィードベルト内のエアーが吸引され、用紙が１枚だけこのフィードベルトに吸引され、吸引された用紙は第２の用紙検知センサによって検知された後、搬送され、第５のセンサを経た後、感光体ベルトと転写器の間を通過し、このときトナー像の転写が行われ、トナー像転写後の用紙は、搬送され、定着ロールを通過してここで熱定着され、定着後の用紙は搬送され、第２のゲートの配置されている場所まで搬送され、第２のゲートは、この用紙を複写機本体の上面に設けられ第９のセンサが設けられた排出トレイに向けて排出するか、近傍に第１０のセンサが配置された第３のゲートに受け渡すかを選択し、第２のゲートによって排出トレイ方向に排出されなかった用紙は、第３のゲートに到達し、この第３のゲートによって、用紙はホリゾンタル・トランスポートを経てパージ・トレイに向けて排出されるか、デュプレックス・トレイに排出されるかが選択されるものである
ソ　上記オ及び第２図より、
複写機は、スタートボタンが押されると、用紙の撤送駆動源となるメインモータが駆動を開始し、パージ制御の必要の有無が判別され、パージ制御による用紙の排出が必要な場合には、複写機で発生したジャムが除去された後、搬送路内にまだ残っている用紙を排出し、この後コピー作業を行い、パージ制御による用紙の排出が必要でない場合には、直ちにコピー作業を開始し、コピー作業が終了したら、メインモータの駆動を停止する、ものであって、ジャムが発生し、該当する用紙が搬送路から除去されると、ＲＡＭの所定領域にパージ制御を行わせるためのデータが書き込まれるようになっており、ＣＰＵはこれを基にパージ制御の必要の有無を判別し、前記複写機の動作は、ＣＰＵ（中央処理装置）が制御しているもの
タ　上記カ及びキ並びに第３図（１／２）及び（２／２）より、
パージ制御の始動ルーチンは、ジャム除去後の撒送路上に用紙が何枚存在するかをカウントするカウンタであるオン・センサ・カウンタ（ＯＳカウンタ）の内容がクリアされ、次に各センサに対応して設けられ、パージ期間の所定時間内に各センサがカウントする用紙の枚数を記録するカウンタであるオン用多重カウンタ（ＯＭカウンタ）の内容がすべて零にされ、まず第１のセンサについて用紙が存在するかどうかの判別作業が開始され、このようにして、第１０のセンサまでの現時点での用紙検知の有無がチェックされ、用紙が存在しないセンサに対してはオン変化検知要求がセットされ、これに対して、あるセンサについて用紙の検知が行われたとすると、次のセンサ用のオン用多重カウンタが１だけ加算され、オン変化検知要求がセットされ、この後、センサバッファで示されるセンサから指示された次のセンサへ向かう用紙に対して、次のセンサで用紙の先端が検知されるまでの最大時間であって、この時間内に用紙の先端が検知されないときには、ジャムが発生したと判断するオン・ジャムタイマがセットされ、このようにして第１０のセンサまですべてのセンサのチェックが行われ、ＣＰＵはオン・センサ・カウンタが零であるかどうかが判断され、オン・センサ・カウンタが零であれば（Ｙ）、用紙はそれぞれのセンサによって検知されていないことになり、この場合には、１番長い距離のセンサ間に用紙が存在することも考慮にいれてパージタイマ（Ｐタイマ）が２秒にセットされ、すべてのセンサが用紙を初期的に検出していないことを示すものであるオール・オフ・フラグ（ALL OFF FLAG）がセットされ、これに対して、オン・センサ・カウンタが零でない場合には、パージタイマを、第１のセンサに用紙があったとしても、第９または第１０のセンサを通過してこれが機外に出るまでに十分な時間である５秒にセットされ、オール・オフ・フラグがリセットされることにより、自動排出始動ルーチンが終了し、この後、メインモータの駆動が開始され、パージ制御が行われる
チ　上記ク及び第５図より、
パージ制御における自動排出ラン（ＲＵＮ）中であって、オン変化要求を行ったセンサについてオン変化（用紙の先端検知）が行われたとき、これを処理するものである各センサのオン処理は、センサバッファによって示されるオン変化したセンサが第８のセンサであったとすると、複写機本体にパージトレイがついているかどうかが判断され、パージトレイがついている場合には、第１０のセンサのオン用多重カウンタが１だけ加算され、第１０のセンサについてオン変化検知要求がセットされ、オン・ジャムタイマがセットされ、オール・オフ・フラグがリセットされているかどうかが判別され、オール・オフ・フラグがリセットされていない場合、すなわちメインモータの始動前にすべてのセンサで用紙の検知が行われていなかった場合には、用紙が新たに検知されたことになり、この場合には、オール・オフ・フラグがリセットされ、用紙の排出処理が行われ、次にセンサバッファで示されるオン変化したセンサが第１から第７のセンサであったとすると、この場合にはセンサバッファで指示されるセンサの次のセンサ用オン用多重カウンタが１だけ加算され、この＋１されたオン用多重カウンタのカウント値がこの結果＋１となれば、このセンサで用紙の先端を検知するためのオン変化検知要求がセットされ、この後、センサバッファで示されるセンサから、指示された次のセンサへのオン・ジャムタイマがセットされ、センサバッファで示されるオン変化したセンサが第９または第１０のセンサである場合には、オフ変化検知要求のみがセットされ、自動排出ラン中の各センサのオン処理ルーチンが終了するもの
　そうすると、上記ア乃至チの記載事項及び上記サの認定事項から、引用例には、次の発明（以下「引用発明」という。）が記載されているものと認められる。
「メインモータを用紙の撤送駆動源とした複写機は、内部に３段の供給トレイを配置し、３段の供給トレイのそれぞれわずか上方には、フィードベルトがそれぞれ配置され、用紙供給のために供給トレイが選択されると、対応するフィードベルト内のエアーが吸引され、用紙が１枚だけこのフィードベルトに吸引され、吸引された用紙は第２の用紙検知センサによって検知された後、搬送され、第５のセンサを経た後、感光体ベルトと転写器の間を通過し、このときトナー像の転写が行われ、トナー像転写後の用紙は、搬送され、定着ロールを通過してここで熱定着され、定着後の用紙は搬送され、第２のゲートの配置されている場所まで搬送され、第２のゲートは、この用紙を複写機本体の上面に設けられ第９のセンサが設けられた排出トレイに向けて排出するか、近傍に第１０のセンサが配置された第３のゲートに受け渡すかを選択し、第２のゲートによって排出トレイ方向に排出されなかった用紙は、第３のゲートに到達し、この第３のゲートによって、用紙はホリゾンタル・トランスポートを経てパージ・トレイに向けて排出されるか、デュプレックス・トレイに排出されるかが選択されるものである複写機であって、
　スタートボタンが押されると、用紙の撤送駆動源となるメインモータが駆動を開始し、パージ制御の必要の有無が判別され、パージ制御による用紙の排出が必要な場合には、複写機で発生したジャムが除去された後、搬送路内にまだ残っている用紙を排出し、この後コピー作業を行い、パージ制御による用紙の排出が必要でない場合には、直ちにコピー作業を開始し、コピー作業が終了したら、メインモータの駆動を停止する、ものであって、ジャムが発生し、該当する用紙が搬送路から除去されると、ＲＡＭの所定領域にパージ制御を行わせるためのデータが書き込まれるようになっており、ＣＰＵによりこれを基にパージ制御の必要の有無が判別され、前記複写機の動作は、ＣＰＵ（中央処理装置）が制御しているものであり、
　パージ制御の始動ルーチンは、ジャム除去後の撒送路上に用紙が何枚存在するかをカウントするカウンタであるオン・センサ・カウンタ（ＯＳカウンタ）の内容がクリアされ、次に各センサに対応して設けられ、パージ期間の所定時間内に各センサがカウントする用紙の枚数を記録するカウンタであるオン用多重カウンタ（ＯＭカウンタ）の内容がすべて零にされ、まず第１のセンサについて用紙が存在するかどうかの判別作業が開始され、このようにして、第１０のセンサまでの現時点での用紙検知の有無がチェックされ、用紙が存在しないセンサに対してはオン変化検知要求がセットされ、これに対して、あるセンサについて用紙の検知が行われたとすると、次のセンサ用のオン用多重カウンタが１だけ加算され、オン変化検知要求がセットされ、この後、センサバッファで示されるセンサから指示された次のセンサへ向かう用紙に対して、次のセンサで用紙の先端が検知されるまでの最大時間であって、この時間内に用紙の先端が検知されないときには、ジャムが発生したと判断するオン・ジャムタイマがセットされ、このようにして第１０のセンサまですべてのセンサのチェックが行われ、ＣＰＵによりオン・センサ・カウンタが零であるかどうかが判断され、オン・センサ・カウンタが零であれば（Ｙ）、用紙はそれぞれのセンサによって検知されていないことになり、この場合には、１番長い距離のセンサ間に用紙が存在することも考慮にいれてパージタイマ（Ｐタイマ）が２秒にセットされ、すべてのセンサが用紙を初期的に検出していないことを示すものであるオール・オフ・フラグ（ALL OFF FLAG）がセットされ、これに対して、オン・センサ・カウンタが零でない場合には、パージタイマを、第１のセンサに用紙があったとしても、第９または第１０のセンサを通過してこれが機外に出るまでに十分な時間である５秒にセットされ、オール・オフ・フラグがリセットされることにより、自動排出始動ルーチンが終了し、この後、メインモータの駆動が開始され、パージ制御が行われることになり、
　パージ制御における自動排出ラン（ＲＵＮ）中であって、オン変化要求を行ったセンサについてオン変化（用紙の先端検知）が行われたとき、これを処理するものである各センサのオン処理は、センサバッファによって示されるオン変化したセンサが第８のセンサであったとすると、複写機本体にパージトレイがついているかどうかが判断され、パージトレイがついている場合には、第１０のセンサのオン用多重カウンタが１だけ加算され、第１０のセンサについてオン変化検知要求がセットされ、オン・ジャムタイマがセットされ、オール・オフ・フラグがリセットされているかどうかが判別され、オール・オフ・フラグがリセットされていない場合、すなわちメインモータの始動前にすべてのセンサで用紙の検知が行われていなかった場合には、用紙が新たに検知されたことになり、この場合には、オール・オフ・フラグがリセットされ、用紙の排出処理が行われ、次にセンサバッファで示されるオン変化したセンサが第１から第７のセンサであったとすると、この場合にはセンサバッファで指示されるセンサの次のセンサ用オン用多重カウンタが１だけ加算され、この＋１されたオン用多重カウンタのカウント値がこの結果＋１となれば、このセンサで用紙の先端を検知するためのオン変化検知要求がセットされ、この後、センサバッファで示されるセンサから、指示された次のセンサへのオン・ジャムタイマがセットされ、センサバッファで示されるオン変化したセンサが第９または第１０のセンサである場合には、オフ変化検知要求のみがセットされ、自動排出ラン中の各センサのオン処理ルーチンが終了するものである、
複写機。」
（３）対比
　そこで、本願補正発明と引用発明とを対比すると、
ア　後者の「搬送路」、「用紙」、「用紙の撤送駆動源となるメインモータ」、「搬送路に設けられたセンサ」、「複写機で発生したジャムを除去した後」は、それぞれ、前者の「用紙搬送路」、「用紙」、「用紙搬送路に沿って用紙を搬送する用紙搬送部」、「用紙搬送路上の用紙を検知する用紙検知部」、「用紙搬送路の用紙搬送が中断された後」に相当する。
イ　後者の「複写機」の「コピー作業」は、「スタートボタンが押されると」、「用紙供給のために、供給トレイが選択され、用紙が吸引され、所定のタイミングで搬送を開始され、トナー像の転写が行われ、複写機本体の上面に設けられた排出トレイに向けて排出」され、これらの動作は、ＣＰＵ（中央処理装置）が制御しているものであるところ、供給トレイが選択され、該供給トレイの用紙が搬送されるとは、印刷ジョブに含まれる用紙情報に基づいて供給トレイが選択され、メインモータの駆動が制御されていることであることは、画像形成装置における印刷ジョブの処理における技術常識といえる事項であるから、前者の「画像形成装置」と後者の「複写機」とは、実質的に「用紙に関する印刷ジョブを取得するジョブ取得部と、前記用紙に画像を形成する画像形成部と、前記印刷ジョブに含まれる用紙情報に基づいて前記用紙を搬送する第１の用紙搬送を実施するように用紙搬送部を制御する制御部と、を有」する点で共通する。
ウ　後者の「搬送路」には、「第１から第１０のセンサ」が設けられているのであるから、後者の「センサ」と「センサ」との間は、前者の「搬送区間」に相当し、そして、後者の「用紙」は、「トナー像の転写が行われ、複写機本体の上面に設けられた排出トレイに向けて排出」されるのであるから、前者の「用紙搬送路」と後者の「搬送路」とは、「搬送区間と、当該搬送区間から外部に至る経路にあるすべての搬送区間とを加えた排出経路を設定」したものとの概念で一致する。
エ　後者の「複写機」は、「スタートボタンが押されると、用紙の撤送駆動源となるメインモータが駆動を開始し、パージ制御の必要の有無が判別され」るところ、「パージ制御の必要の有無の判別」は、「ジャムが発生し、該当する用紙が搬送路から除去されると、ＲＡＭの所定領域にパージ制御を行わせるためのデータが書き込まれるようになっており、ＣＰＵはこれを基にパージ制御の必要の有無を判別」しているのであって、「スタートボタンが押される」前に「ジャムが発生し、該当する用紙が搬送路から除去され」ていることは明らかであるから、後者の「スタートボタンが押されると」とは、前者の「用紙搬送路の用紙搬送が中断された後に前記用紙搬送路の用紙搬送を再開する場合」に相当する。
オ　後者の「パージ制御における自動排出」における「オン処理」は、「オン変化要求を行ったセンサについてオン変化（用紙の先端検知）が行われたとき、実行されるものであって、「第８のセンサ」について実行され、次に、「第１から第７のセンサ」について実行されるものであり、この「オン処理」は、「用紙の排出処理」を行うものであるところ、「第８のセンサ」について「オン変化（用紙先端の検知）」が行われると、「用紙の排出処理」が行われるのであるから、後者の「パージ制御における自動排出」における「第８のセンサ」について「オン変化」が行われたときの「オン処理」は、前者の「用紙情報には基づかずに」「用紙検知部の検知結果に基づいて」「用紙を搬送し、外部に排出する第２の用紙搬送」及び「用紙検知部の検知結果に基づいて」、「用紙搬送路に残留した残留用紙の存否を判定し、当該残留用紙が存在する搬送区間に設定した排出経路において」実施される「第２の用紙搬送」に相当する。
　カ　後者の「パージ制御における自動排出」における「第１から第７のセンサ」の「オン処理」は、「第８のセンサ」の「オン処理」の、次に、実行されるものである点で、前者の「第２の用紙搬送を実施した後」に相当し、「第１から第７のセンサ」が配置されているそれぞれの「搬送路」は、「第８のセンサ」の「オン処理」が実行された直後は、未だ搬送が実施されていない点で、前者の「未起動の搬送区間」に相当する。そして、「第１から第７のセンサ」についてのオン処理において「オン変化した」とは、当該センサが配置されている搬送路において用紙の搬送が行われた結果センサにより用紙の先端が検知されることであるから、前者の「前記搬送区間の搬送を所定の駆動時間行い、前記搬送区間において残留用紙が検知された場合」に相当する。そして、「第１から第７のセンサ」についても、「用紙の排出処理」が行われることは明らかであるから、後者の「パージ制御における自動排出」における「第１から第７のセンサ」の「オン処理」は、前者の「搬送区間に対する排出経路に対して第２の用紙搬送を実施する」ことに相当する。
　したがって、両者は、
「用紙搬送路を備え、当該用紙搬送路に沿って用紙を搬送する用紙搬送部と、
　前記用紙搬送路上の前記用紙を検知する用紙検知部と、
　前記用紙に関する印刷ジョブを取得するジョブ取得部と、
　前記用紙に画像を形成する画像形成部と、
　前記印刷ジョブに含まれる用紙情報に基づいて前記用紙を搬送する第１の用紙搬送と、前記用紙情報には基づかずに前記用紙検知部の検知結果に基づいて前記用紙を搬送し、外部に排出する第２の用紙搬送と、のいずれかの搬送を実施するように前記用紙搬送部を制御する制御部と、を有し、
　前記制御部は、
　前記用紙搬送路に対して複数の搬送区間を割り付け、前記複数の搬送区間の各々について、当該搬送区間と、当該搬送区間から前記外部に至る経路にあるすべての搬送区間とを加えた排出経路を設定し、
　前記用紙搬送路の用紙搬送が中断された後に前記用紙搬送路の用紙搬送を再開する場合、
　前記用紙検知部の検知結果に基づいて、前記用紙搬送路に残留した残留用紙の存否を判定し、当該残留用紙が存在する搬送区間に設定した排出経路において前記第２の用紙搬送を実施した後、未起動の搬送区間に対し、前記搬送区間の搬送を所定の駆動時間行い、前記搬送区間において残留用紙が検知された場合、前記搬送区間に対する排出経路に対して前記第２の用紙搬送を実施するように前記用紙搬送部を制御する、画像形成装置。」
の点で一致し、本願補正発明の発明特定事項は、すべて引用発明が備えているから、本願補正発明と、引用発明とに差異はない。
　請求人は、「引用文献１には、用紙検知センサで紙詰りの発生の有無を監視しながら排出を行わせる自動排出について開示されているものの、残留用紙が存在する搬送区間に設定した排出経路において自動排出を実施することは開示されておりません。」と主張する。
　しかし、引用発明は、メインモータの駆動が開始され、パージ制御が行われるものであるところ、搬送路のすべてが駆動されるのであるから、残留用紙が存在する搬送区間の搬送経路において、自動排出が実施されることは明らかであるから、上記請求人の主張は何ら採用できるものではない。
　また、請求人は、「引用文献１の発明は、紙検知センサ全部を自動排出処理モードの開始時から所定時間だけ検出動作状態にすることで、紙検知センサにより検出された残留紙について、紙詰まりの発生の有無の監視を、搬送路全体にわたり一度に行うことを想定しております。また、引用文献１の発明では、そもそも排出経路が設定されていないので、起動済み／未起動の搬送区間の区別が無く、本願発明の上記構成を想定することはできないものと思料します。」と主張する。
　しかし、引用発明の「パージ制御における自動排出」の「オン処理」は、最終的には、すべてのセンサに対して「「パージ制御」を行うことになるものの、「第８のセンサ」の「オン処理」が行われ、次に、「第１から第７のセンサ」の「オン処理」が行われるのであるから、「第８のセンサ」の「オン処理」が実施された直後は、「第１から第７のセンサ」の前後の「搬送路」については、「未起動の搬送区間」に相当することになるのだから、用紙搬送路の用紙搬送が中断された後に用紙搬送路の用紙搬送を再開する場合における搬送制御において、相違するものではなく、上記請求人の主張は何ら採用できるものではない。
　したがって、本願補正発明は、特許法第２９条第１項第３号に該当し、特許を受けることができない発明であって、特許出願の際、独立して特許を受けることが出来ないものであるから、本件補正は，特許法第１７条の２第６項において準用する同法第１２６条第７項の規定に違反してされたものである。
（５）むすび
　以上のとおり、本件補正は、特許法第１７条の２第５項の規定に違反するものであり、同法第１５９条第１項で読み替えて準用する同法第５３条第１項の規定により却下されるべきものである。
　また、仮に、本件補正が、特許法第１７条の２第５項第２号に規定する特許請求の範囲の減縮を目的とするものに該当するとしても、同条第６項において準用する同法第１２６条第７項の規定に違反するので、同法第１５９条第１項の規定において読み替えて準用する同法第５３条第１項の規定により却下すべきものである。
　よって、上記補正の却下の決定の結論のとおり決定する。
第３　本願発明について
１　本願発明
　本件補正は上記第２のとおり却下されたので、本願の請求項１に係る発明は、令和１年１１月２１日に提出された手続補正書により補正された特許請求の範囲の請求項１に記載された事項によって特定される次のとおりのものである。
「【請求項１】
　用紙搬送路を備え、当該用紙搬送路に沿って用紙を搬送する用紙搬送部と、
　前記用紙搬送路上の前記用紙を検知する用紙検知部と、
　前記用紙に関する印刷ジョブを取得するジョブ取得部と、
　前記用紙に画像を形成する画像形成部と、
　前記印刷ジョブに含まれる用紙情報に基づいて前記用紙を搬送する第１の用紙搬送と、前記用紙情報には基づかずに前記用紙検知部の検知結果に基づいて前記用紙を搬送し、外部に排出する第２の用紙搬送と、のいずれかの搬送を実施するように前記用紙搬送部を制御する制御部と、を有し、
　前記制御部は、
　前記用紙搬送路に対して複数の搬送区間を割り付け、前記複数の搬送区間の各々について、当該搬送区間と、当該搬送区間から前記外部に至る経路にあるすべての搬送区間とを加えた排出経路を設定し、
　前記用紙搬送路の用紙搬送が中断された後に前記用紙搬送路の用紙搬送を再開する場合、
　前記用紙検知部の検知結果に基づいて、前記用紙搬送路に残留した残留用紙の存否を判定し、当該残留用紙が存在する搬送区間に設定した排出経路においてのみ前記第２の用紙搬送を実施するように前記用紙搬送部を制御する、画像形成装置。」（以下「本願発明」という。）
２　引用例
　令和１年１２月９日付けの拒絶理由通知に引用された引用例、及び、その記載内容は上記「第２　３　（２）引用例」に記載したとおりである。
３　対比・判断
　本願発明と引用発明とを対比すると、上記「第２　３　（３）対比」での検討を勘案すると、両者は、
「用紙搬送路を備え、当該用紙搬送路に沿って用紙を搬送する用紙搬送部と、
　前記用紙搬送路上の前記用紙を検知する用紙検知部と、
　前記用紙に関する印刷ジョブを取得するジョブ取得部と、
　前記用紙に画像を形成する画像形成部と、
　前記印刷ジョブに含まれる用紙情報に基づいて前記用紙を搬送する第１の用紙搬送と、前記用紙情報には基づかずに前記用紙検知部の検知結果に基づいて前記用紙を搬送し、外部に排出する第２の用紙搬送と、のいずれかの搬送を実施するように前記用紙搬送部を制御する制御部と、を有し、
　前記制御部は、
　前記用紙搬送路に対して複数の搬送区間を割り付け、前記複数の搬送区間の各々について、当該搬送区間と、当該搬送区間から前記外部に至る経路にあるすべての搬送区間とを加えた排出経路を設定し、
　前記用紙搬送路の用紙搬送が中断された後に前記用紙搬送路の用紙搬送を再開する場合、
　前記用紙検知部の検知結果に基づいて、前記用紙搬送路に残留した残留用紙の存否を判定し、当該残留用紙が存在する搬送区間に設定した排出経路において前記第２の用紙搬送を実施するように前記用紙搬送部を制御する、画像形成装置。」
の点で一致する。
　そして、引用発明は、第１から第８のセンサについて、「オン変化」しないということは、残留用紙がないことであって、その場合には、用紙の搬送及び排出はしないのであるから、本願発明と引用発明とは、残留用紙が存在する搬送区間に設定した排出経路において「のみ」第２の用紙搬送を実施するものである点で一致する。
　よって、本願発明と引用発明とは、相違するところはない。
　したがって、本願発明は、特許法第２９条第１項第３号に該当し、特許を受けることができない。
４　むすび
　以上のとおり、本願発明１は、特許法第２９条第１項第３号に該当し、特許を受けることができないものである。
　したがって、他の請求項に係る発明について検討するまでもなく、本願は拒絶すべきものである。
　よって、結論のとおり審決する。